(57)【要約】【課題】通常動作からパワーダウン状態への移行時またはパワーダウン状態から通常動作への復帰時における異音の発生を防止する。【解決手段】通常動作からパワーダウン状態への移行時またはパワーダウン状態から通常動作への復帰時に、入力信号生成部１２によって音声アンプに周期波形を積分した入力信号を入力する。音声出力装置１１（抵抗Ｒｓｐ）とコンデンサＣ１により構成される微分回路により、アンプ出力端子に現われる信号が微分され、音声出力装置１１に流れる電流の波形は高調波成分をほとんど含まない周期波形になる。【選択図】図１
2008219686.tif 000002
【特許請求の範囲】
【請求項１】
通常動作からパワーダウン状態への移行時またはパワーダウン状態から通常動作への復帰時に、周期波形を積分した入力信号を生成して、音声アンプに入力する入力信号生成部を有し、
前記音声アンプのアンプ出力端子と音声出力装置は、コンデンサを介して接続されていることを特徴とする音声出力回路。
【請求項２】
前記周期波形の周波数は、人間の可聴域に入らない周波数であることを特徴とする請求項１に記載の音声出力回路。
【請求項３】
前記入力信号生成部は、前記周期波形を生成する周期波形生成回路と、生成した前記周期波形を積分する積分回路と、を有することを特徴とする請求項１に記載の音声出力回路。
【請求項４】
前記周期波形は略正弦波であることを特徴とする請求項１に記載の音声出力回路。
【請求項５】
前記周期波形は略三角波であることを特徴とする請求項１に記載の音声出力回路。
【請求項６】
通常動作からパワーダウン状態への移行時またはパワーダウン状態から通常動作への復帰時に、入力信号生成部が周期波形を積分した入力信号を生成して、音声アンプに入力し、
微分回路により、前記音声アンプのアンプ出力端子に現われる出力信号を微分した信号を音声出力装置に入力することを特徴とする音声出力方法。
【請求項７】
前記周期波形の周波数は、人間の可聴域に入らない周波数であることを特徴とする請求項６に記載の音声出力方法。
【請求項８】
前記入力信号生成部は、周期波形生成回路によって前記周期波形を生成し、積分回路によって前記周期波形を積分した前記入力信号を生成することを特徴とする請求項６に記載の音声出力方法。
【請求項９】
前記周期波形は略正弦波であることを特徴とする請求項６に記載の音声出力方法。
【請求項１０】
前記周期波形は略三角波であることを特徴とする請求項６に記載の音声出力方法。
【発明の詳細な説明】
【技術分野】
【０００１】
本発明は、携帯電話や携帯の音楽機器などに用いられる音声アンプを有した音声出力回路及び音声出力方法に関する。
【背景技術】
【０００２】
携帯電話や携帯の音楽機器に用いられる音声アンプは、低消費電力にするため音声を再生しない場合には、パワーダウン状態にしている。
図９は、従来の音声アンプの回路図である。
【０００３】
音声アンプは図９（Ａ）で示すように、電源電圧Ｖｃｃで動作するアンプＯＰを有しており、負端子は抵抗Ｒ１を介してＸＩＮ端子に、正端子はＩＮ端子に接続されている。ＯＵＴ端子は抵抗Ｒ２を介して負端子に接続されているとともに、コンデンサＣ１を介してスピーカやヘッドホン（あるいはイヤホン）などの音声出力装置ＳＰに接続されている。
【０００４】
図９（Ｂ）では、音声出力装置ＳＰを抵抗Ｒｓｐで置き換えている。ここでの抵抗Ｒｓｐは通常、８Ω〜６４Ω程度である。コンデンサＣ１は、低域周波数成分を伸ばすために１００μＦ前後の容量値が使われる。また、以下では簡単のためアンプＯＰを、利得１（０ｄＢ）の反転増幅器として説明する。
【０００５】
このような音声アンプにおいて、パワーダウン状態から通常動作に復帰時には、開放状態となっているＸＩＮ端子に信号アース電位Ｖｓｇ（通常はＶｃｃ／２程度の電圧を使用する）を与え、同様に開放状態となっているＩＮ端子にはＶｓｇ／２を与え、アンプＯＰを動作状態にする。その後、ＩＮ端子に以下のような波形を与える。
【０００６】
図１０は、パワーダウン状態から通常動作への復帰時の電圧波形の様子を示す図である。
縦軸は電圧Ｖであり、横軸は時間Ｔである。信号アース電位Ｖｓｇを１、ＯＵＴ端子が信号アース電位Ｖｓｇとなる時間を１と規格化している。また、図中で“ＩＮ”はＩＮ端子に入力される電圧波形、“ＯＵＴ”はアンプＯＰのＯＵＴ端子の電圧波形、“Ｖｓｐ”は音声出力装置ＳＰに印加される電圧Ｖｓｐの波形である。
【０００７】
Ｖｓｇ／２を与えたＩＮ端子には、信号アース電位Ｖｓｇに向かって上昇するような波形を与える。これにより、ＯＵＴ端子の電位は、電源アース電位（０Ｖ）から信号アース電位Ｖｓｇに向かって上昇していく。音声出力装置ＳＰの電圧Ｖｓｐは、ＯＵＴ端子の電位の上昇が開始すると立ち上がり、一定の電位まで上昇すると、その電位が維持される。ＯＵＴ端子の電位が電圧Ｖｓｐになると、０Ｖに立ち下がる。
【０００８】
ＯＵＴ端子が信号アース電位Ｖｓｇになり、コンデンサＣ１に電流が流れなくなった時点で、ＸＩＮ端子に信号アース電位Ｖｓｇを中心に動く音楽信号電圧を入力して音楽を再生する。これで通常動作となる。
【０００９】
このような通常動作時には、アンプＯＰのＯＵＴ端子の電位は信号アース電位Ｖｓｇを中心に動作し、音声出力装置ＳＰに印加される電圧Ｖｓｐは、電源アース電位を中心に動作する。
【００１０】
ところで、パワーダウン状態から通常動作への復帰時には、以下のような問題があった。
図１１は、ＯＵＴ端子の電位がステップ状に立ち上がる例を示す図である。
【００１１】
アンプＯＰに通常用いられる位相補償用のコンデンサ（図示せず）の容量が大きい場合、ＯＵＴ端子の出力が、当該コンデンサから電荷が抜けるまで変化せず、電荷が抜けた後には、図１１のように、ステップ状に立ち上がる現象が知られている。例えば、ＩＮ端子の電位を１Ｖ／１０ｍｓの速度で立ち上げると、数十ｍＶのステップ状の立ち上がりエッジが発生する。このような場合、スピーカやヘッドホンから異音が発せられ、耳障りであった。
【００１２】
この異音の発生を防止するためには、ＩＮ端子の電位の立ち上がりを、上記のコンデンサから電荷が抜ける速度と同程度または遅く変化させればよい。
従来、異音が発生しないように、ＩＮ端子の電位の立ち上がりが滑らかに変化するように制御する技術があった（例えば、特許文献１参照）。
【００１３】
一方、通常動作からパワーダウン状態へ移行する際、ＸＩＮ端子には、例えば、音楽信号電圧から信号アース電位Ｖｓｇに切り替え、ＩＮ端子には以下のような波形を与える。
図１２は、パワーダウン状態移行時の電圧波形の様子を示す図である。
【００１４】
縦軸は電圧Ｖであり、横軸は時間Ｔである。信号アース電位Ｖｓｇを１、ＯＵＴ端子の電圧が０となる時間を１と規格化している。また、図中で“ＩＮ”はＩＮ端子に入力される電圧波形、“ＯＵＴ”はアンプＯＰのＯＵＴ端子の電圧波形、“Ｖｓｐ”は音声出力装置ＳＰに印加される電圧Ｖｓｐの波形である。
【００１５】
ＩＮ端子には信号アース電位ＶｓｇからＶｓｇ／２に向かって滑らかに変化している電圧波形が入力される。これにより、可聴域の振動を出さないようにしている。なお、ここでは簡略化のため直線で表現している。このような波形をＩＮ端子に入力すると、アンプＯＰのＯＵＴ端子の電圧は信号アース電位Ｖｓｇから電源アース（０Ｖ）に向かって降下していく。コンデンサＣ１の両端に電位差がなくなった時点でＸＩＮ端子及びＩＮ端子を開放して、アンプＯＰを低電力モードにすると、アンプＯＰをＣＭＯＳ（Complementary Metal-Oxide Semiconductor）によるＩＣ（Integrated Circuit）で作った場合は、数ｎＡ程度の消費電流になる。通常はこのシーケンス時間は数１０ｍｓ〜１００ｍｓ程度で行われる。
【００１６】
なお、このとき音声出力装置ＳＰの電圧Ｖｓｐは、低域遮断が加わり、矩形波になっている。スピーカやヘッドホンの振動板の位置は、電圧Ｖｓｐに比例するので矩形波の音が出力されることになる。
【特許文献１】特開２００６−２５２４６号公報
【発明の開示】
【発明が解決しようとする課題】
【００１７】
しかし、従来の技術では、パワーダウン状態から通常動作への復帰時に、入力信号の電位を滑らかに上昇させるための各種回路パラメータを、異音が発生しない条件になるように調整する必要があり面倒であった。
【００１８】
また、通常動作からパワーダウン状態への移行時にも前述したような矩形波が発生する。矩形波は、周波数が１０Ｈｚであっても、レベルの高い高調波成分を含むので、人間の可聴域（およそ３０Ｈｚ〜１５ｋＨｚ）に成分を持つようになり異音が聞こえてしまう問題があった。
【００１９】
本発明はこのような点に鑑みてなされたものであり、通常動作からパワーダウン状態への移行時またはパワーダウン状態から通常動作への復帰時における異音の発生が防止可能な音声出力回路及び音声出力方法を提供することを目的とする。
【課題を解決するための手段】
【００２０】
本発明者は、図１に示すように、通常動作からパワーダウン状態への移行時またはパワーダウン状態から通常動作への復帰時に、周期波形を積分した入力信号を生成して、音声アンプに入力する入力信号生成部１２を有し、音声アンプのアンプ出力端子（ＯＵＴ端子）と音声出力装置１１は、コンデンサＣ１を介して接続されていることを特徴とする音声出力回路１０を提案する。
【００２１】
上記の構成によれば、通常動作からパワーダウン状態への移行時またはパワーダウン状態から通常動作への復帰時に、音声アンプに周期波形を積分した入力信号が入力され、音声アンプのアンプ出力端子から出力される信号は周期波形の積分波形となる。また、音声出力装置１１（抵抗Ｒｓｐ）とコンデンサＣ１により構成される微分回路によりアンプ出力端子に現われる信号が微分され、音声出力装置１１に流れる電流の波形は周期波形になる。
【００２２】
また、通常動作からパワーダウン状態への移行時またはパワーダウン状態から通常動作への復帰時に、入力信号生成部が周期波形を積分した入力信号を生成して、音声アンプに入力し、微分回路により、音声アンプのアンプ出力端子に現われる出力信号を微分した信号を音声出力装置に入力することを特徴とする音声出力方法を提案する。
【００２３】
上記の方法によれば、通常動作からパワーダウン状態への移行時またはパワーダウン状態から通常動作への復帰時に、音声アンプに周期波形を積分した入力信号が入力され、音声アンプのアンプ出力端子から出力される信号は周期波形の積分波形となる。また、微分回路によりアンプ出力端子に現われる信号が微分され、音声出力装置に入力される信号波形は周期波形になる。
【発明の効果】
【００２４】
本発明によれば、音声アンプに入力される周期波形の積分波形は、立ち上がりの始まりは非常に変化速度が遅いので、パワーダウン状態から通常動作への復帰時に、アンプ出力端子から出力される信号にステップ状の立ち上がりが発生することを防止できる。
【００２５】
また、音声出力装置に流れる電流の波形は、高調波数成分が少ない周期波形となるので、通常動作からパワーダウン状態への移行時に、異音の発生を防止できる。
【発明を実施するための最良の形態】
【００２６】
以下、本発明の実施の形態を図面を参照して詳細に説明する。
図１は、本実施の形態の音声出力回路の構成を示す図である。
音声出力回路１０は、図９で示したような音声アンプを有している。音声アンプは、電源電圧Ｖｃｃで動作するアンプＯＰを有している。アンプＯＰの負端子は抵抗Ｒ１を介してＸＩＮ端子に、正端子はＩＮ端子に接続されている。ＯＵＴ端子は抵抗Ｒ２を介して負端子に接続されているとともに、コンデンサＣ１を介してスピーカやヘッドホン（あるいはイヤホン）などの音声出力装置１１に接続されている。
【００２７】
音声出力装置１１は、抵抗Ｒｓｐで表される。ここでの抵抗Ｒｓｐは通常、８Ω〜６４Ω程度である。コンデンサＣ１は、低域周波数成分を伸ばすために１００μＦ前後の容量値が使われる。
【００２８】
本実施の形態の音声出力回路１０は、さらに、入力信号生成部１２を有していることを特徴としている。
入力信号生成部１２は、通常動作からパワーダウン状態への移行時またはパワーダウン状態から通常動作への復帰時に、正弦波または三角波などの周期波形の積分波形を生成して音声アンプのＩＮ端子に入力する。ここでの正弦波または三角波の周波数は、例えば１０Ｈｚとし、その積分波形をＩＮ端子に入力する。
【００２９】
正弦波は最も高調波成分を含まない波形である。また、三角波も高調波成分をあまり含まない。例えば、１０Ｈｚの正弦波も三角波もスピーカで聞くと音はほとんど感じられない。これに対して１０Ｈｚの矩形波は、人間の可聴域（およそ３０Ｈｚ〜１５ｋＨｚ）に入るような高調波成分を含むため、音をはっきり認識できる。
【００３０】
以下、本実施の形態の音声出力回路１０の動作を説明する。
なお、アンプＯＰは、利得１（０ｄＢ）の反転アンプと仮定して説明する。
パワーダウン状態から通常動作への復帰時には、ＸＩＮ端子の電位を、Ｖｃｃ／２に固定する。これは、例えば、パワーダウン状態や通常動作などの状態の変化を検知して各部を制御する制御回路（図示せず）の制御のもと行われる。
【００３１】
そして入力信号生成部１２はＩＮ端子に、例えば、正弦波または三角波を積分した入力信号を入力する。まず、正弦波を用いた場合について説明する。
ｙ１＝（１／２）＋（１／２）ｓｉｎ（ｘ−π／２）
０＜ｘ＜２π                                                        （１）
上記のような式（１）で表される正弦波ｙ１があったとすると、その積分波形ｙ２は以下のようになる。
【００３２】
ｙ２＝（ｘ／２）−（１／２）ｃｏｓ（ｘ−π／２）                    （２）
式（２）において、ｙ２を電圧Ｖ、ｘを時間Ｔとして、時間軸及び振幅を規格化して描いたグラフは以下のようになる。
【００３３】
図２は、パワーダウン状態から通常動作への復帰時にアンプに入力する信号波形の例（正弦波の積分波形）を示す図である。
パワーダウン状態から通常動作への復帰時には、入力信号生成部１２は、図２のような電圧波形で、振幅方向の０をＶｃｃ／４、振幅方向の１をＶｃｃ／２に変換して、ＩＮ端子に入力する。これにより、アンプＯＰのＯＵＴ端子には、図２の波形が振幅方向の０が０Ｖ、１がＶｃｃ／２（信号アース電位Ｖｓｇ）となる波形で現われる。
【００３４】
図２のようにＩＮ端子に入力される波形は、立ち上がりの変化が非常にゆっくりであるため、アンプＯＰのＯＵＴ端子の電位にステップ状の立ち上がりが発生することを防止できる。
【００３５】
また、音声出力装置１１に流れる電流の波形は、ＯＵＴ端子に現われる信号がコンデンサＣ１と抵抗Ｒｓｐによる微分回路で微分されたものとなるため、式（１）のようになる。式（１）において、ｙ２を電流Ｉ、ｘを時間Ｔとして、時間軸及び振幅を規格化して描いたグラフは以下のようになる。
【００３６】
図３は、パワーダウン状態から通常動作への復帰時に音声出力装置に流れる電流波形の例を示す図である。
図のような正弦波はほとんど高調波成分を持たないので、人間の可聴域に入るような異音の発生を防止できる。
【００３７】
通常動作時においては、ＯＵＴ端子が信号アース電位Ｖｓｇになり、コンデンサＣ１に電流が流れなくなった時点で、ＸＩＮ端子に信号アース電位Ｖｓｇを中心に動く音楽信号電圧を入力して音楽を再生する。このとき、アンプＯＰのＯＵＴ端子の電位は信号アース電位Ｖｓｇを中心に動作し、音声出力装置１１に印加される電圧Ｖｓｐは、電源アース電位（０Ｖ）を中心に動作する。
【００３８】
次に、通常動作からパワーダウン状態に遷移する際の動作を説明する。
このときは、ＸＩＮ端子はＶｃｃ／２に固定し、入力信号生成部１２は、以下のような正弦波を積分した波形を生成してＩＮ端子に入力する。
【００３９】
図４は、通常動作からパワーダウン状態に遷移させる際に用いる正弦波の例である。
図３の正弦波とは逆に、マイナスの振幅を有している。なお、縦軸は規格化した電流Ｉ、横軸は規格化した時間Ｔとしている。
【００４０】
このような正弦波の積分波形は以下のようになる。
図５は、通常動作からパワーダウン状態への移行時にアンプに入力する信号波形の例（正弦波の積分波形）を示す図である。
【００４１】
図４の正弦波を積分すると、図２の波形とは逆に、振幅が１から０へ減少していく波形となっている。なお、縦軸は規格化した電圧Ｖ、横軸は規格化した時間Ｔとしている。
入力信号生成部１２は、振幅方向の０をＶｃｃ／４、振幅方向の１をＶｃｃ／２に変換して、ＩＮ端子に入力する。これにより、アンプＯＰのＯＵＴ端子には、図５のような波形が振幅方向の０が０Ｖ、１がＶｃｃ／２の波形で現われる。
【００４２】
また、音声出力装置１１に流れる電流の波形は、ＯＵＴ端子に現われる信号がコンデンサＣ１と抵抗Ｒｓｐによる微分回路で微分されたものとなるため、図４で示したような正弦波となる。
【００４３】
このような高調波成分をほとんど含まない正弦波の電流波形を音声出力装置１１に流すことで、通常動作からパワーダウン状態への移行時における人間の可聴域に入る異音の発生を防止することができる。
【００４４】
次に、正弦波の代わりに三角波を用いる場合について説明する。
図６は、三角波の例を示す図である。
このような三角波は、以下の式で表される。
【００４５】
０＜ｘ＜０．５
ｙ１＝２ｘ                          （３）
０．５＜ｘ＜１
ｙ１＝２−２ｘ                      （４）
また、三角波を積分した波形は以下のようになる。
【００４６】
図７は、三角波の積分波形の例である。
このような三角波の積分波形は、以下の式で表される。
０＜ｘ＜０．５
ｙ２＝ｘ2                          （５）
０．５＜ｘ＜１
ｙ２＝−０．５＋２ｘ−ｘ2          （６）
入力信号生成部１２は、パワーダウン状態から通常動作への復帰時には、図７で示すような三角波の積分波形を生成して、振幅方向の０をＶｃｃ／４、振幅方向の１をＶｃｃ／２に変換して、ＩＮ端子に入力する。これによれば、アンプＯＰのＯＵＴ端子には、図７の波形が振幅方向の０が０Ｖ、１がＶｃｃ／２の波形で現われる。図７の波形は、図２の波形と同様に、立ち上がりの変化が非常にゆっくりであるため、アンプＯＰのＯＵＴ端子の電位にステップ状の立ち上がりが発生することを防止できる。
【００４７】
図７で示すような波形をＩＮ端子に入力すると、音声出力装置１１に流れる電流波形は、図６のような三角波となる。三角波も正弦波と同様に高調波成分をあまり含まないので異音の発生を防止できる。
【００４８】
通常動作からパワーダウン状態への移行時には、入力信号生成部１２は、図６を逆さにしたような三角波、すなわち、マイナスの振幅をもつ三角波を積分した波形を、振幅方向の０をＶｃｃ／４、振幅方向の１をＶｃｃ／２に変換して、ＩＮ端子に入力する。このとき、音声出力装置１１に流れる電流波形は、図６を逆さにしたような三角波となり、人間の可聴域に入るような異音の発生を防止できる。
【００４９】
次に、入力信号生成部１２の詳細を説明する。
前述したように、入力信号生成部１２は、正弦波や三角波の積分波形を生成してＩＮ端子に入力する。積分波形を得るためには、Ｄ／Ａ（Digital / Analogue）コンバータを用いて、例えばＲＯＭ（Read Only Memory）に書き込まれたデータをＤ／Ａコンバータに入力して、式（２）や式（５），（６）を満たすような波形を生成するようにしてもよい。
【００５０】
但し、Ｄ／Ａコンバータは回路が大きいので、小規模のアナログ回路で発生させることが望まれることもある。以下では、三角波の積分波形を生成する入力信号生成部１２の具体的な回路構成例を示す。
【００５１】
図８は、入力信号生成部の回路例を示す図である。
入力信号生成部１２は、三角波生成回路２０と、積分回路３０とを有している。
三角波生成回路２０は、ｐチャネル型ＭＯＳＦＥＴ（Metallic Oxide Semiconductor Field Effect Transistor）（以下ｐＭＯＳと略す）２１，２２、ｎチャネル型ＭＯＳＦＥＴ（以下ｎＭＯＳと略す）２３，２４、抵抗Ｒ３，Ｒ４、コンデンサＣ２、スイッチＳＷ１，ＳＷ２を有している。
【００５２】
ｐＭＯＳ２１，２２のソースには電源電圧Ｖｃｃが印加されており、ゲートは互いに接続されているとともに、ｐＭＯＳ２１のドレインに接続されている。ｐＭＯＳ２１のドレインは抵抗Ｒ３及びスイッチＳＷ１を介して接地電位線（ＧＮＤ）に接続されている。ｐＭＯＳ２２のドレインはコンデンサＣ２を介してＧＮＤに接続されているとともに、ＯＵＴ１端子、ｎＭＯＳ２３のドレインと接続されている。ｎＭＯＳ２３，２４のソースはともにＧＮＤに接続され、ゲートは互いに接続されているとともに、ｎＭＯＳ２４のドレインに接続されている。ｎＭＯＳ２４のドレインには、抵抗Ｒ４、スイッチＳＷ２を介して電源電圧Ｖｃｃが印加される。
【００５３】
なお、スイッチＳＷ１，ＳＷ２は、図示しない制御回路の制御のもと開閉される。制御回路は、例えば、本実施の形態の音声出力回路１０が搭載される携帯電話や、携帯型の音楽機器などにおけるプロセッサである。
【００５４】
上記のような三角波生成回路２０において、コンデンサＣ２の両端の電圧を０Ｖにして、スイッチＳＷ２を開いて、スイッチＳＷ１を閉じると、コンデンサＣ２に一定の電流が流れ込み、ＯＵＴ１端子の電位は時間に対して直線的に上昇していく。所定の電圧になったら、スイッチＳＷ１を開いてスイッチＳＷ２を閉じると、コンデンサＣ２から電流が引き出されるので、ＯＵＴ１端子の電位が時間に対して直線的に下降する。抵抗Ｒ３，Ｒ４の抵抗値と、コンデンサＣ２の容量値を選択すれば、所望の電位の上昇速度、下降速度を任意に設定できる。
【００５５】
上記のように三角波生成回路２０で生成された三角波は積分回路３０に入力される。
積分回路３０は、アンプ３１、ｎＭＯＳ３２、ｐＭＯＳ３３，３４、抵抗Ｒ５、コンデンサＣ３を有している。
【００５６】
アンプ３１の正端子に三角波が入力され、出力端子はｎＭＯＳ３２のゲートと接続されている。アンプ３１の負端子はｎＭＯＳ３２のソースと接続されている。ｎＭＯＳ３２のソースはさらに、抵抗Ｒ５を介してＧＮＤに接続されている。ｎＭＯＳ３２のドレインはｐＭＯＳ３３，３４のゲート及びｐＭＯＳ３３のドレインに接続されている。ｐＭＯＳ３３，３４のソースには電源電圧Ｖｃｃが印加される。ｐＭＯＳ３４のドレインは、ＯＵＴ２端子に接続されるとともに、コンデンサＣ３を介してＧＮＤに接続されている。
【００５７】
上記のような積分回路３０において三角波がアンプ３１の正端子に入力されると、ｎＭＯＳ３２、ｐＭＯＳ３３，３４には、アンプ３１の入力電圧に比例した電流が流れる。この電流がコンデンサＣ３に充電されるので、ＯＵＴ２端子には三角波の積分波形が出力される。
【００５８】
上記では、三角波の積分波形を出力する入力信号生成部１２について説明したが、正弦波の積分波形についても同様に、正弦波生成回路と、その積分回路の組み合わせにより生成可能である。
【００５９】
以上のように、本実施の形態の音声出力回路１０では、パワーダウン状態から通常動作への復帰時、または通常動作からパワーダウン状態への移行時に、音声アンプに対して正弦波または三角波を積分した波形を入力するだけで、スピーカやヘッドホンなどから人間の可聴域に入るような異音が発生することを防止することができる。
【００６０】
なお、上記では音声出力装置１１に、正弦波または三角波の電流が流れるとして説明したが、必ずしも正確な正弦波や三角波である必要はなく、おおむね正弦波や三角波の形状を持つ周期波形であればよい。
【図面の簡単な説明】
【００６１】
【図１】本実施の形態の音声出力回路の構成を示す図である。
【図２】パワーダウン状態から通常動作への復帰時にアンプに入力する信号波形の例（正弦波の積分波形）を示す図である。
【図３】パワーダウン状態から通常動作への復帰時に音声出力装置に流れる電流波形の例を示す図である。
【図４】通常動作からパワーダウン状態に遷移させる際に用いる正弦波の例である。
【図５】通常動作からパワーダウン状態への移行時にアンプに入力する信号波形の例（正弦波の積分波形）を示す図である。
【図６】三角波の例を示す図である。
【図７】三角波の積分波形の例である。
【図８】入力信号生成部の回路例を示す図である。
【図９】従来の音声アンプの回路図である。
【図１０】パワーダウン状態から通常動作への復帰時の電圧波形の様子を示す図である。
【図１１】ＯＵＴ端子の電位がステップ状に立ち上がる例を示す図である。
【図１２】パワーダウン状態移行時の電圧波形の様子を示す図である。
【符号の説明】
【００６２】
１０  音声出力回路
１１  音声出力装置
１２  入力信号生成部
【図１】
2008219686.tif 000003
【図２】
2008219686.tif 000004
【図３】
2008219686.tif 000005
【図４】
2008219686.tif 000006
【図５】
2008219686.tif 000007
【図６】
2008219686.tif 000008
【図７】
2008219686.tif 000009
【図８】
2008219686.tif 000010
【図９】
2008219686.tif 000011
【図１０】
2008219686.tif 000012
【図１１】
2008219686.tif 000013
【図１２】
2008219686.tif 000014